(57)【要約】【課題】  従来の空気調和機の室外ユニットの運搬用の取っ手は任意の位置へ取り付けできる自由度は高くないという課題があった。【解決手段】  本発明は、運搬用の取っ手２０を表側部材２０ａと、ワイヤー７を介して表側部材２０ａに着脱可能に結合する裏側部材２０ｂと、表側部材２０ａと裏側部材２０ｂとの合わせ面に形成されワイヤー７を挟み込む溝部２０ｅと、を備えるように構成して、取っ手２０をガード６のワイヤー７に取り付けたものである。【選択図】  図１
2016017646.tif 000002
【特許請求の範囲】
【請求項１】
内部に熱交換器と送風機及び圧縮機を収納し、外郭に前記熱交換器を保護する複数本のワイヤーにより構成されるガードを備えた熱源ユニットに使用する運搬用の取っ手であって、前記取っ手は前記ガードの前記熱交換器とは反対側に配置され手を掛ける手掛け部を形成する表側部材と、前記ガードの前記熱交換器側に配置され前記ワイヤーを介して前記表側部材に着脱可能に結合する裏側部材と、前記表側部材と前記裏側部材との合わせ面に形成され前記ワイヤーを挟み込む溝部と、を備え、前記溝部に前記ワイヤーを挟み込んで前記表側部材と前記裏側部材とを結合させ、前記取っ手を前記ガードの前記ワイヤーに取り付けたことを特徴とする運搬用の取っ手。
【請求項２】
前記取っ手は、２本以上の前記ワイヤーを挟み込んで取り付けるようにしたことを特徴とする請求項１に記載の運搬用の取っ手。
【請求項３】
前記取っ手は、縦方向と横方向の両方の前記ワイヤーを挟み込んで取り付けるようにしたことを特徴とする請求項１又は請求項２に記載の運搬用の取っ手。
【請求項４】
前記取っ手は、前記表側部材と前記裏側部材の一端をヒンジ部により結合させたことを特徴とする請求項１ないし請求項３のいずれか１項に記載の運搬用の取っ手。
【請求項５】
前記表側部材の上面を、前記裏側部材とは反対方向の先端に行くに従って下方に傾斜するように形成したことを特徴とする請求１ないし請求項４のいずれか１項に記載の運搬用の取っ手。
【請求項６】
前記取っ手に前記室外ユニット本体の転倒を防止する固定線部品を取り付けできるようにしたことを特徴とする請求１ないし請求項５のいずれか１項に記載の運搬用の取っ手。
【請求項７】
前記取っ手に前記固定線部品を固定するネジ穴又は通し穴を備えて、前記取っ手に前記固定線部品を取り付けできるようにしたことを特徴とする請求項６に記載の運搬用の取っ手。
【請求項８】
前記取っ手に前記固定線部品を固定する通し穴を、前記取っ手の前記表側部材から前記裏側部材を貫通させて前記ワイヤーが間に通る位置に複数設け、前記固定線部品を複数の前記通し穴に通し、前記固定線部品が前記通し穴を介して前記ワイヤーを跨ぐように取り付けたことを特徴とする請求項６に記載の運搬用の取っ手。
【請求項９】
前記熱源ユニットが空気調和機の室外ユニット又はヒートポンプ式給湯器の熱源ユニットであることを特徴とする請求項１ないし請求項８のいずれか１項に記載の運搬用の取っ手。
【請求項１０】
内部に熱交換器と送風機及び圧縮機を収納した室外ユニット本体と、前記室外ユニット本体の外郭に設けられ前記熱交換器を保護する複数本のワイヤーにより構成されるガードと、前記ガードの前記ワイヤーに取り付けられる運搬用の取っ手と、を備え、前記取っ手は前記ガードの前記熱交換器とは反対側に配置され手を掛ける手掛け部を形成する表側部材と、前記ガードの前記熱交換器側に配置され前記ワイヤーを介して前記表側部材に着脱可能に結合する裏側部材と、前記表側部材と前記裏側部材との合わせ面に形成され前記ワイヤーを挟み込む溝部と、を備え、前記溝部に前記ワイヤーを挟み込んで前記表側部材と前記裏側部材とを結合させ、前記取っ手を前記ガードの前記ワイヤーに取り付けたことを特徴とする空気調和機の室外ユニット。
【請求項１１】
前記取っ手は、２本以上の前記ワイヤーを挟み込んで取り付けるようにしたことを特徴とする請求項１０に記載の空気調和機の室外ユニット。
【請求項１２】
前記取っ手は、縦方向と横方向の両方の前記ワイヤーを挟み込んで取り付けるようにしたことを特徴とする請求項１０又は請求項１１に記載の空気調和機の室外ユニット。
【請求項１３】
前記取っ手は、前記表側部材と前記裏側部材の一端をヒンジ部により結合させたことを特徴とする請求項１０ないし請求項１２のいずれか１項に記載の空気調和機の室外ユニット。
【請求項１４】
前記表側部材の上面を、前記裏側部材とは反対方向の先端に行くに従って下方に傾斜するように形成したことを特徴とする請求項１０ないし請求項１３のいずれか１項に記載の空気調和機の室外ユニット。
【請求項１５】
前記取っ手に前記室外ユニット本体の転倒を防止する固定線部品を取り付けできるようにしたことを特徴とする請求項１０ないし請求項１４のいずれか１項に記載の空気調和機の室外ユニット。
【請求項１６】
前記取っ手に前記固定線部品を固定するネジ穴又は通し穴を備えて、前記取っ手に前記固定線部品を取り付けできるようにしたことを特徴とする請求項１５に記載の空気調和機の室外ユニット。
【請求項１７】
前記取っ手に前記固定線部品を固定する通し穴を、前記取っ手の前記表側部材から前記裏側部材を貫通させて前記ワイヤーが間に通る位置に複数設け、前記固定線部品を複数の前記通し穴に通し、前記固定線部品が前記通し穴を介して前記ワイヤーを跨ぐように取り付けたことを特徴とする請求項１５に記載の空気調和機の室外ユニット。
【請求項１８】
前記取っ手を前記ガードの前記ワイヤーに複数取り付け、複数の前記固定線部品を複数の前記取っ手に固定して前記室外ユニット本体の転倒を防止するようにしたことを特徴とする請求項１５ないし請求項１７のいずれか１項に記載の空気調和機の室外ユニット。
【請求項１９】
前記取っ手を取り付ける前記ガードを前記室外ユニット本体の側面に備え、前記室外ユニット本体の背面には前記熱交換器を保護するガードを備えないようにして、前記室外ユニット本体の背面に外気の吸い込みに対する障害物を設けないようにしたことを特徴とする請求項１０ないし請求項１８のいずれか１項に記載の空気調和機の室外ユニット。
【発明の詳細な説明】
【技術分野】
【０００１】
この発明は、空気調和機の室外ユニットやヒートポンプ式給湯器の熱源ユニットなどの熱源ユニットに設けられる運搬用の取っ手の構成に関するものである。
【背景技術】
【０００２】
従来の空気調和機の室外ユニットの運搬用の取っ手には、樹脂で成型された取っ手を室外ユニットの外郭パネルに設けられた同じ形状の複数の吸込口に、外側から嵌め込んで取り付けられるようにして、取っ手の取付位置を複数の吸込口から選択して取り付けることで取っ手の取付け位置を変更できるようにしたものがある。（例えば、特許文献１参照。）
また、外郭部を板金部品と格子状に組まれたワイヤーで構成される室外ユニットにおいて、ワイヤー自体を取っ手形状に加工して室外ユニットの運搬を可能としたものがある。（例えば、特許文献２参照。）
また、室外ユニットのトップパネル（天面カバー）の左右の両端に取っ手機能を持たせ、トップパネルに穴を開けてロープを通すことで、室外ユニットの運搬性を改善するものがあった。（例えば、特許文献３参照。）
【先行技術文献】
【特許文献】
【０００３】
【特許文献１】特開２０１１−１６９５７２
【特許文献２】特開２００５−９８６１４
【特許文献３】特開平１０−２２７４８７
【発明の概要】
【発明が解決しようとする課題】
【０００４】
取っ手の高さなどの設定位置は日本で使用する空気調和機の室外ユニットは日本人の平均的な体格を基準に決めているが、日本国内で開発した室外ユニットを輸出するなど海外展開した際には、外国人が室外ユニットの運搬や現地据付作業を行うことになる。このため、体格が異なる外国人が室外ユニットの運搬や現地据付作業を行うことを考慮すると、取っ手の位置を作業者が作業し易い場所へ設けることが望ましい。しかし、特許文献２のように外郭を構成するワイヤーの形状で取っ手を形成する場合、作業者が任意の位置へ取っ手を変更することは不可能である。
【０００５】
また、特許文献２の室外ユニットは左側面のワイヤーの一部を取っ手形状としているが、取っ手部分のワイヤーが側面に突き出る形状の為、邪魔にならないように室外ユニット背面のワイヤー部品を利用して取っ手を形成する場合もある。ところが、背面にワイヤー部品を備える場合、室外ユニットの背面側は熱交換器の外気を吸い込む流速が前方に配置された送風機の送風方向と同じ方向になり、吸込み空気の流速が室外ユニットの側面からの吸込み流速に比べて速いため、室外ユニットの背面にワイヤー部品が配置されると、風切り音を発生させる場合が生じたり、豪雪地帯においてはワイヤー上に雪が溜まり、氷柱が形成されるなどの原因となって、熱交換器の熱交換性能を低下させる場合があるなどの課題があった。
【０００６】
また、特許文献１の取っ手は、室外ユニット外郭の側板へ複数の取っ手取付穴（吸込口）を設けることで、上下方向の取っ手の位置の移動を可能にしている。しかし、吸込口の周縁部に係合する係止部を備えて吸込口に外側から嵌め込んで取り付けられるようにしただけなので、取っ手が取付穴から外れやすく運搬が行い難いという課題があり、また、取っ手の手を掛ける部分が吸込口から熱交換器側に飛び出す形状のため、Ｂ列側（室外ユニットの前面側）の吸込口に取り付ける場合、取っ手が熱交換器に接触して取り付けらないため、取り付けられるようにするためには熱交換器と外郭の側板との間に広いスペースが必要になることから、熱交換器の設置スペースが小さくなったり、室外ユニットの外郭を広げる必要があるという課題があり、また、取っ手の上下方向の移動に関しても、外郭側面パネル（側板）へ開けられた吸込口により位置が規制されるため、その移動できる自由度は高くないという課題があった。
【０００７】
また、昨今、世界各地で発生している自然災害の規模は大きく、これまで発生していない地域でも発生するなどの異常気象も頻発している。大型台風や竜巻による強風、地震による振動などの外乱に対する室外ユニットの転倒防止対策も市場の要求として高まっている。しかし、転倒防止部材を取り付けるには、予め室外ユニット側に転倒防止部材を取り付けるための取付穴や取り付け可能な形状（他部品と干渉しない等）を設けておく必要が有り、例えば既に市場へ据付けられている室外ユニットへ後付けすることが困難であるという課題があった。
【０００８】
また、室外ユニットに予め転倒防止部を設けた場合には、固定する部分が一意に決まってしまうが、室外ユニットを据付けするケースは屋根上に設置されたり、複数台を集中設置するなど様々である為、固定する部分を変更できる様な仕様が良い。加えて、自然災害の規模の大きさに対して、より強固な固定を試みたくとも、固定する部分が一意に決まっていると強固な固定ができ難く、さらに、室外ユニットの重量の大半を占める圧縮機は室外ユニット正面から見て右側の機械室と呼ばれる位置へ収納配置される場合が多く、その場合、室外ユニットの、重心位置は右側に寄っている。この為、大型台風の強風などの外乱により室外ユニットが移動（転倒）する場合には、熱交換器が配置された重量の軽い室外ユニットの左側から動くことになり、室外ユニットの転倒防止の為に固定する部分は、実現象を考慮すると、室外ユニットの左側（熱交換器が配置された側面側）を固定するのが効果的であるが、室外ユニットの熱交換器側の側面は空気の吸い込み口が開いているため固定できる場所が少ないという課題があった。
【０００９】
この発明はかかる課題を解消するためになされたもので、取っ手の取付位置を空気調和機の室外ユニットなど熱源ユニットを運搬や据付を行う作業者によって左右方向へも変更可能であると共に、上下方向への移動自由度も向上できる運搬用の取っ手及び空気調和機の室外ユニットを得ることを目的とするものである。
また、移動自由度があり複数取付可能な取っ手を利用して室外ユニットなどの熱源ユニットと外部との固定を強固にでき、自然災害に強い空気調和機の室外ユニットなどの熱源ユニットを得ることを目的とする。
【課題を解決するための手段】
【００１０】
この発明に係わる運搬用の取っ手は、内部に熱交換器と送風機及び圧縮機を収納し、外郭に前記熱交換器を保護する複数本のワイヤーにより構成されるガードを備えた熱源ユニットに使用される運搬用の取っ手であって、前記取っ手は前記ガードの前記熱交換器とは反対側に配置され手を掛ける手掛け部を形成する表側部材と、前記ガードの前記熱交換器側に配置され前記ワイヤーを介して前記表側部材に着脱可能に結合する裏側部材と、前記表側部材と前記裏側部材との合わせ面に形成され前記ワイヤーを挟み込む溝部と、を備え、前記溝部に前記ワイヤーを挟み込んで前記表側部材と前記裏側部材とを結合させ、前記取っ手を前記ガードの前記ワイヤーに取り付けたものである。
【００１１】
また、この発明に係わる空気調和機の室外ユニットは、内部に熱交換器と送風機及び圧縮機を収納した室外ユニット本体と、前記室外ユニット本体の外郭に設けられ前記熱交換器を保護する複数本のワイヤーにより構成されるガードと、前記ガードの前記ワイヤーに取り付けられる運搬用の取っ手と、を備え、前記取っ手は前記ガードの前記熱交換器とは反対側に配置され手を掛ける手掛け部を形成する表側部材と、前記ガードの前記熱交換器側に配置され前記ワイヤーを介して前記表側部材に着脱可能に結合する裏側部材と、前記表側部材と前記裏側部材との合わせ面に形成され前記ワイヤーを挟み込む溝部と、を備え、前記溝部に前記ワイヤーを挟み込んで前記表側部材と前記裏側部材とを結合させ、前記取っ手を前記ガードの前記ワイヤーに取り付けたものである。
【発明の効果】
【００１２】
この発明の運搬用の取っ手は、内部に熱交換器と送風機及び圧縮機を収納し、外郭に前記熱交換器を保護する複数本のワイヤーにより構成されるガードを備えた熱源ユニットに使用される運搬用の取っ手であって、前記取っ手は前記ガードの前記熱交換器とは反対側に配置され手を掛ける手掛け部を形成する表側部材と、前記ガードの前記熱交換器側に配置され前記ワイヤーを介して前記表側部材に着脱可能に結合する裏側部材と、前記表側部材と前記裏側部材との合わせ面に形成され前記ワイヤーを挟み込む溝部と、を備え、前記溝部に前記ワイヤーを挟み込んで前記表側部材と前記裏側部材とを結合させ、前記取っ手を前記ガードの前記ワイヤーに取り付けたので、取っ手の取り付け位置を熱源ユニットの運搬や据付けを行う作業者によって作業しやすい位置に変更することができ、作業者の作業を容易にできる運搬用の取っ手を得ることができるという効果がある。
【００１３】
また、この発明に係わる空気調和機の室外ユニットは、内部に熱交換器と送風機及び圧縮機を収納した室外ユニット本体と、前記室外ユニット本体の外郭に設けられ前記熱交換器を保護する複数本のワイヤーにより構成されるガードと、前記ガードの前記ワイヤーに取り付けられる運搬用の取っ手と、を備え、前記取っ手は前記ガードの前記熱交換器とは反対側に配置され手を掛ける手掛け部を形成する表側部材と、前記ガードの前記熱交換器側に配置され前記ワイヤーを介して前記表側部材に着脱可能に結合する裏側部材と、前記表側部材と前記裏側部材との合わせ面に形成され前記ワイヤーを挟み込む溝部と、を備え、前記溝部に前記ワイヤーを挟み込んで前記表側部材と前記裏側部材とを結合させ、前記取っ手を前記ガードの前記ワイヤーに取り付けたので、取っ手の取り付け位置を室外ユニットの運搬や据付けを行う作業者によって作業しやすい位置に変更することができ、作業者の作業を容易にできる空気調和機の室外ユニットを得ることができるという効果がある。
【図面の簡単な説明】
【００１４】
【図１】この発明の実施の形態１における空気調和機の室外ユニットを背面側から見た斜視図である。
【図２】この発明の実施の形態１における空気調和機の室外ユニットの前面側から見た斜視図である。
【図３】この発明の実施の形態１における空気調和機の室外ユニットの外郭パネル類を取り外して示す主要な構成品の配置を説明する断面平面図である。
【図４】この発明の実施の形態１における空気調和機の室外ユニットの左側面の外郭構成を説明する側面ガード部分の斜視図である。
【図５】この発明の実施の形態１における空気調和機の室外ユニットの取っ手部分を示す斜視図である。
【図６】この発明の実施の形態１における図５の取っ手の構成を説明する表側部材と裏側部材を開いた状態の斜視図である。
【図７】この発明の実施の形態１における図５の取っ手の表側部材と裏側部材の結合を説明する要部縦断面図である。
【図８】この発明の実施の形態１における側面ガードの間を取っ手の裏側部材が通る寸法関係を説明する要部側面図である。
【図９】この発明の実施の形態１における側面ガードの間を取っ手の裏側部材が通る寸法関係を説明する図８に相当する要部側面図である。
【図１０】この発明の実施の形態１における図５の取っ手の表側部材と裏側部材の合わせ面で挟み込むワイヤーと溝部の構成を説明する要部縦断面図である。
【図１１】この発明の実施の形態１における取っ手の取付位置の変更を説明する図４に相当する空気調和機の室外ユニットの側面ガード部分の斜視図である。
【図１２】この発明の実施の形態１における取っ手に固定線部品を取り付けて室外ユニットの転倒を防止する構成を説明する空気調和機の室外ユニットの前面側から見た斜視図である。
【図１３】この発明の実施の形態１における取っ手に固定線部品を通す要領を説明する斜視図である。
【図１４】この発明の実施の形態１の他の例Ａを示す空気調和機の室外ユニットの取っ手の斜視図である。
【図１５】この発明の実施の形態１における他の例Ｂを示す取っ手の表側部材と裏側部材の合わせ面で挟み込むワイヤーと溝部の構成を説明する図１０に相当する要部縦断面図である。
【図１６】この発明の実施の形態１における他の例Ｃを示す取っ手の表側部材と裏側部材の合わせ面で挟み込むワイヤーと溝部の構成を説明する図１０に相当する要部縦断面図である。
【図１７】この発明の実施の形態１における他の例Ｄを示す取っ手の表側部材と裏側部材の合わせ面で挟み込むワイヤーと溝部の構成を説明する図１６に相当する要部縦断面図である。
【図１８】この発明の実施の形態１における他の例Ｅを示す取っ手の表側部材と裏側部材の合わせ面で挟み込むワイヤーと溝部の構成を説明する図１０に相当する要部縦断面図である。
【図１９】この発明の実施の形態１における他の例Ｆを示す取っ手をガードに取り付けた状態の室外ユニットの要部側面図である。
【図２０】この発明の実施の形態１における他の例Ｇを示す取っ手をガードに取り付けた状態の図１９に相当する要部側面図である。
【図２１】この発明の実施の形態１における他の例Ｈを示す取っ手をガードに取り付けた状態の図１９に相当する要部側面図である。
【図２２】この発明の実施の形態１における他の例Ｉを示す取っ手部分の要部斜視図である。
【図２３】この発明の実施の形態１における図２２の取っ手の表側部材と裏側部材の結合を説明する要部縦断面図である。
【図２４】この発明の実施の形態１における他の例Ｊを示す取っ手に固定線部品を取り付ける構成を説明する固定線部品の取付部分の要部縦断面図である。
【図２５】この発明の実施の形態１における他の例Ｋを示す複数の取っ手に固定線部品を取り付けて空気調和機の室外ユニットの転倒を防止する構成を説明する図１２に相当する室外ユニットの斜視図である。
【図２６】この発明の実施の形態１における他の例Ｌを示す図１に相当する空気調和機の室外ユニットを背面側から見た斜視図である。
【発明を実施するための形態】
【００１５】
実施の形態１.
以下、この発明の実施の形態１を図１〜図１３により説明する。図１はこの発明の実施の形態１における空気調和機の室外ユニットを背面側から見た斜視図である。図２は空気調和機の室外ユニットの前面側から見た斜視図である。図３は空気調和機の室外ユニットの外郭パネル類を取り外して示す主要な構成品の配置を説明する断面平面図である。図４は空気調和機の室外ユニットの左側面の外郭構成を説明するガード部分の斜視図である。図５は空気調和機の室外ユニットの取っ手部分を示す斜視図である。図６は図５の取っ手の構成を説明する表側部材と裏側部材を開いた状態の斜視図である。図７は図５の取っ手の表側部材と裏側部材の結合を説明する要部縦断面図である。図８は側面ガードの隙間を取っ手の裏側部材が通る寸法関係を説明する要部側面図である。図９は側面ガードの隙間を取っ手の裏側部材が通る寸法関係を説明する図８に相当する要部側面図である。図１０は図５の取っ手の表側部材と裏側部材の合わせ面で挟み込むワイヤーと溝部の構成を説明する要部縦断面図である。図１１はこの発明の実施の形態１における取っ手の取付位置の変更を説明する図４に相当する空気調和機の室外ユニットのガード部分の斜視図である。図１２は取っ手に固定線部品を取り付けて室外ユニットの転倒を防止する構成を説明する空気調和機の室外ユニットの前面側から見た斜視図である。図１３は取っ手に固定線部品を通す要領を説明する斜視図である。
【００１６】
この実施の形態１ではヒートポンプ式給湯器の熱源ユニットや冷蔵ショウケースの室外ユニットなどの熱源ユニットの例として空気調和機の室外ユニットについて示したものである。
空気調和機は図１及び図２に示すように、室外ユニット（熱源ユニット）である室外ユニット本体１と図示しない室内ユニットによって構成されており、室外ユニットである室外ユニット本体１は例えば屋外に設置され、また、室内ユニットは屋内に設置され、部屋の暖房や冷房などの空調を行うものである。このように、直方体形状に形成された室外ユニット本体１の筐体は、外郭をネジ等によって着脱可能に取り付けられた天板であるトップパネル２、右側の側板である右サイドパネル３、前面パネル４、左側面の前側部分を形成する左サイドパネル８、左側背面のコーナー部分を形成する外郭支柱９及び下面をドレンパン１０などの板金部品等によって覆われている。
【００１７】
また、図３等に示すように、室外ユニット本体１の筐体の内部には、効率良く熱交換器１１を配置するため、熱交換面積を広くするように、一般的に熱交換器１１を上下の方向から見た平面形状をＬ字形状に曲げた形状に形成して設置する場合が多く、この実施の形態でもドレンパン１０の長手方向に沿って左右に長く形成され、室外ユニット本体１の背面側に配置される後辺部１１ａと後辺部１１ａの左端から前方へ屈曲し、室外ユニット本体１の外郭の左側面に沿って形成された側辺部１１ｂとで平面形状をＬ字形状に形成されている。また、この室外熱交換器１１の構成としては、例えば縦長の短冊状の薄いアルミのフィン二列を空気が流通できる隙間を開けて配管に積層して形成したものである。
【００１８】
また、室外ユニット本体１の筐体の内部には、冷媒を圧縮するための圧縮機１２と、この圧縮機１２に配管（図示せず）を介して接続されたレシーバ１３とがドレンパン１０の右側に設置されている。そして、室外ユニット本体１の筐体の内部は、仕切り板１４によって、圧縮機１２が収納される機械室１５と、送風機１６や送風機１６を駆動するためのファンモーター１６ａが収納される送風機室１７とに区分されている。
【００１９】
室外ユニット本体１の外郭の熱交換器１１の側辺部１１ｂ側には、左サイドパネル８と外郭支柱９の間に例えば直径が３ｍｍ〜７ｍｍ程度の鉄線部材等よりなる複数本のワイヤー７を横および縦に組み合わせて格子状に形成したガードである側面ガード６が設けられている。この側面ガード６はこの例ではワイヤー７は、左サイドパネル８と外郭支柱９に両端が溶接等により連結された３０本以上の横方向のワイヤー７ａと１本の縦方向のワイヤー７ｂを組み合わせて形成したもので、熱交換器１１の側辺部１１ｂへ外気を流通させるための広い開口スペースを形成するとともに、熱交換器１１に手などが触れて熱交換器１１が変形するのを防止して熱交換器１１を保護するように、熱交換器１１に手などが触れないように警鐘を促すために設けられている。なお、ワイヤー７により側面ガード６を形成する理由は、熱交換器１１への外気を吸込い込む開口面積を広く形成できるとともに、ワイヤー７は比較的に強度が強く変形し難い材料であり、また、安価であるため、側面ガード７に用いられている。
【００２０】
また、室外ユニット本体１の背面にも熱交換器１１の後辺部１１ａへ手などが触れないように警鐘を促すように保護用のワイヤー２６を組み合わせて形成したガードである背面ガード２５が設けられている。
また、室外ユニット本体１の右側前後及び左前面には右サイドパネル３の前後と左サイドパネル８に設けられた取り付け穴部(図示せず)へ嵌め込まれて固定されている樹脂成型により形成された固定取っ手１８ａ〜１８ｃがそれぞれ設けられている。
【００２１】
次に、図４〜図１１により側面ガード６のワイヤー７に取り付ける樹脂成型により形成された運搬用の取っ手である取っ手２０の構成について説明する。取っ手２０は側面ガード６の熱交換器１１の側辺部１１ｂとは反対側の位置に配置され、手を掛ける手掛け部２０ｄを形成する表側部材２０ａと、側面ガード６の熱交換器１１の側辺部１１ｂ側に配置され、表側部材２０ａに着脱可能に結合する裏側部材２０ｂと、表側部材２０ａと裏側部材２０ｂとの合わせ面に形成されるワイヤー７を挟み込む溝部２０ｅと、を備え、溝部２０ｅで表側部材２０ａと裏側部材２０ｂとの間にワイヤー７を挟み込んで表側部材２０ａと裏側部材２０ｂとを結合させ、取っ手２０を側面ガード６のワイヤー７に取り付けるようにしたものである。
【００２２】
次に表側部材２０ａと裏側部材２０ｂでワイヤー７を着脱可能に結合させる構成について詳細に説明する。この実施の形態の取っ手２０の例では表側部材２０ａと裏側部材２０ｂの合わせ面の上辺には表側部材２０ａと裏側部材２０ｂを回転可能に連結するヒンジ部２０ｃが形成されている。このヒンジ部２０ｃは詳しく図示しないが、例えば表側部材２０ａと裏側部材２０ｂのどちらか一方に形成した軸部分に他方を樹脂部材の弾性を利用して回転可能に嵌め込むこと等で容易に形成することができる。
【００２３】
また、取っ手２０の表側部材２０ａと裏側部材２０ｂの下端部分には図６、図７に示すように表側部材２０ａの下面を凹ませて形成した係合穴２０ｇと裏側部材２０ｂの下端から一体に前方へ突出させて形成した係合穴２０ｇに結合する係止片２０ｈを設け、係合穴２０ｇと係止片２０ｈとで表側部材２０ａと裏側部材２０ｂとを着脱可能に結合させる結合手段２０ｆを形成している。そして、ヒンジ部２０ｃにより表側部材２０ａと裏側部材２０ｂとをワイヤー７を溝部２０ｅに挟み込んで閉じると、係止片２０ｈの傾斜部分が表側部材２０ａの下端と接触して係止片２０ｈが樹脂部材の弾性変形により撓み、係止穴２０ｇで係止片２０ｈの弾性変形が戻り係止片２０ｈが係止穴２０ｇに引っかかり、表側部材２０ａと裏側部材２０ｂの下端部分が簡単には外れることなくしっかりと結合されるようになる。また、係止片２０ｈを係止穴２０ｇから外す場合は、係止片２０ｈを樹脂部材の弾性を利用して係止穴２０ｇから外れる方向に作業者が手等で変形させることで外すことができ、取っ手２０を側面ガード６から取り外すことができるわけである。
【００２４】
次に、表側部材２０ａと裏側部材２０ｂとの合わせ面に形成されるワイヤー７を挟み込む溝部２０ｅについて詳細に説明する。この図５、図６の例ではワイヤー７の内、横方向のワイヤー７ａの上下に隣り合う二本及び縦方向のワイヤー７ｂの一本を挟み込む溝部２０ｅを設けている。そして、この溝部２０ｅは図１０に示すように、この例ではワイヤー７の直径とほぼ同じ形状に凹ませて表側部材２０ａと裏側部材２０ｂとで溝部２０ｅを形成している。この例の横方向のワイヤー７ａと縦方向のワイヤー７ｂように２本以上の複数のワイヤー７を取っ手２０が挟み込むことで、取っ手２０がワイヤー７部分で回転して移動することが防止され、また、ワイヤー７の内、横方向のワイヤー７ａと縦方向のワイヤー７ｂを同時に挟みこむことで、横方向のワイヤー７ａで取っ手２０が上下である縦方向へ移動せず、また、縦方向のワイヤー７ｂで取っ手２０が左右である横方向への移動も規制されるので取っ手２０が左右及び上下に移動されることが確実に防止され、しっかりと取っ手２０が側面ガード６のワイヤー７に固定されるようになる。また、この例では縦方向のワイヤー７ｂとの結合が可能なように、ヒンジ部２０ｃの縦方向のワイヤー７ｂと干渉する部分を切り欠くように切欠き部２０ｋを形成して、ヒンジ部２０ｃが縦方向ワイヤー７ｂに干渉しないようにしている。
【００２５】
なお、横方向のワイヤー７ａと縦方向のワイヤー７ｂの交差する重なり部分は段差が出ないように重なり部分の線材の厚さを半分に潰して重ねることで段差をなくし、横方向とと縦方向の溝部２０ｅの深さを同じにしてもよいが、横方向のワイヤー７ａと縦方向のワイヤー７ｂの交差する重なり部分を、線材をそのまま重ねて段差が出るように組み合わせる場合は、表側部材２０ａと裏側部材２０ｂとで横方向のワイヤー７ａと縦方向のワイヤー７ｂを挟む表側部材２０ａ側から裏側部材２０ｂ側方向の位置がずれるため、溝部２０ｅの深さを横方向と縦方向とで変更することで、同時に挟むようにすればよい。
【００２６】
次に、取っ手２０の表側部材２０ａの上面２０ｊの傾斜について説明する。図５に示すように表側部材２０ａの上面２０ｊは裏側部材２０ｂ側とは反対側の先端に行くに従って下方に傾斜するように形成しており、その傾斜角度Ｑは水平に対して２０度〜６０度の範囲にするとよく、このように傾斜させることで、雪が降った際に雪が取っ手２０の上面２０ｊから室外ユニット本体１の外側へ滑り落ちやすく、取っ手２０の上面２０ｊに雪が溜まるのを抑制でき、雪が溜まって熱交換器１１側に雪が接触して熱交換能力を低下させることを防止できる効果がある。
【００２７】
また、取っ手２０の手の指を入れる袋部となる手掛け部２０ｄは取っ手２０の表側部材２０ａに設けるようにしており、手(指)を入れる取っ手２０の空間は手掛け部２０ｄと表側部材２０ａの外周にリブ２０ｎが立設される構成にしている。このリブ２０ｎを備えることで、取っ手２０の内外に面が形成され、リブ２０ｎの内面は取っ手２０の使用時に手が左右方向に動いたり、ずれることを抑制する効果がある。そして、側面ガード６のワイヤー７に取り付けた取っ手２０に作業者が手を掛けて取っ手２０を室外ユニット本体１の運搬のために持ち上げると、溝部２０ｅに挟み込まれたワイヤー７により取っ手２０がワイヤー７にしっかり引っかかって側面ガード６から取っ手２０が外れることがなく、取っ手２０により側面ガード６を介して室外ユニット本体１の側面ガード６側を持ち上げることができるわけである。
【００２８】
また、この実施の形態の例のように取っ手２０は表側部材２０ａ側に手掛け部２０ｃを形成しているので、図７に示すように裏側部材２０ｂ側の厚さ寸法Ｎ１を薄くすることができる。このため、熱交換器１１の側辺部１１ｂと側面ガード６との間隔となる表側部材２０ａと裏側部材２０ｂの合わせ面から側辺部１１ｂまでの寸法Ｎ２が狭くても取っ手２０を側面ガード６に取り付けることができるので、熱交換器１１の寸法を側面ガード６側へ大きく形成したり、室外ユニット本体１の取っ手２０を取り付ける部分の外郭寸法を小さくすることができるという効果がある。
【００２９】
次に、側面ガード６のワイヤー７の間を通す取っ手２０の寸法関係について説明する。図８、図９に示すように取っ手２０の表側部材２０ａと裏側部材２０ｂで側面ガード６のワイヤー７を挟むようにするためには、裏側部材２０ｂが側面ガード６の熱交換器１１側に取り付けるため、ワイヤー７間を外側から熱交換器１１の側辺部１１ｂが有る内側へ通り抜けられる必要があり、図８のように裏側部材２０ｂの幅寸法Ｎ３を側面ガード６の隙間の幅寸法Ｎ４や図９のように傾けて通り抜けられるような寸法にして、裏側部材２０ｂを側面ガード６の隙間を簡単に通すことができるようにしている。
【００３０】
次に図１１により取っ手２０が側面ガード６の任意の位置へ取り付く様子を説明する。横方向のワイヤー７ａが上下に渡って数多く設けられているので、例えば図１１の７箇所の取っ手２０に示すように、どの高さの位置でも付け替えて取り付けることができるため、体格が違う作業者が作業しやすい場所へ取っ手２０を取り付けることができ、運搬や据え付けの際に作業者が室外用ニット本体１を持ち上げやすく、作業を容易にできる効果がある。
【００３１】
つまり、取っ手２０の高さなどの設定位置は日本で使用する室外ユニット本体１は日本人の平均的な体格を基準に決められているが、日本国内で開発した室外ユニット本体１を輸出するなど海外で使用する場合には、外国人が室外ユニット本体１の運搬や現地据付作業を行うことになる。このため、体格が異なる外国人が室外ユニット本体１の運搬や現地据付作業を行うことを考慮すると、取っ手２０の位置を作業者が作業し易い場所へ設けられることが特に望まれる。このため、本実施の形態のように体格が違う作業者が作業しやすい場所へ取っ手２０を自由に付け変えできることは、運搬や据え付け作業を非常に容易にできるわけである。
【００３２】
また、具体的には、この実施の形態の例では横方向の２本の溝部２０ｅを使用して図１１のＰ３位置に示すように縦方向のワイヤー７ｂの右側の横方向のワイヤー７ａにも取っ手２０を取り付けることができる。そして、室外ユニット本体１の左右を二人の作業者で運搬する際に、室外ユニット本体１の左側を持つ作業者が左手を図１１のＰ１の位置の左側の取っ手２０、右手を右側の固定取っ手１８ｃへ入れて運搬する場合、両手の高さ位置が異なり、運搬し難いケースが考えられるが、この場合は、左手を入れる取っ手２０を図１１のＰ２の位置へ付け替えることで、取っ手２０と固定取っ手１８ｃが同じ高さ位置となって作業者の作業性が改善する。また、角部へ設けられた固定位置の固定取っ手１８ｃに手を入れて運搬するのが行い難い場合、取っ手２０が側面ガード６の左右方向へも取り付けられることを利用して、例えば図１１のＰ１とＰ３位置に示すように左右に取っ手２０を設けて左手をＰ１位置の左側の取っ手２０、右手をＰ３の位置の右側の取っ手２０へ入れて運搬することも可能である。この場合、作業者の体が室外ユニット本体１の左側面側に来ることになる。このように、作業者の運搬時の配置が変えられることを利用すれば、狭い場所を移動する（例えば階段を登る）際に作業者の手の肘などが邪魔になることを防止でき、作業者の負担も軽減できる効果が得られる。また、この例では右側のＰ３位置の取っ手２０は左側のＰ１位置の取っ手２０により左側への移動が規制され、左サイドパネル８により右側へも移動しなように規制されている。
【００３３】
次に、取っ手２０を室外ユニット本体１の転倒防止用の固定に利用する構成について説明する。この取っ手２０には表側部材２０ａから裏側部材２０ｂにかけて貫通する３箇所の固定穴である通し穴２０ｐ〜２０ｒが設けられている。そしてこの例では固定穴である通し穴２０ｐ，２０ｑと固定穴である通し穴２０ｒとの間に横方向の一本の溝部２０ｅが通るように通し穴２０ｐ〜２０ｒの位置を配置するようにしている。つまり、通し穴２０ｐ，２０ｑと通し穴２０ｒとの間に横方向の一本のワイヤー７ａが通るように通し穴２０ｐ〜２０ｒの位置を配置するようにしている。
【００３４】
そして、図１２示すように、鉄線等の固定線部品２１などを利用して室外機ユニット本体１に取り付けた取っ手２０と土台基礎或いは周辺の建物、支柱、集中設置の場合には隣り合う他の室外ユニット（図示せず）等の雨風や地震等でも簡単には倒れたり動くことがない設備２２を連結することで、室外ユニット１が移動したり倒れたりすることを防止することができる。また、室外ユニット１の転倒を防止する取っ手２０部品が経年劣化しても、取っ手２０部品は側面ガード６に着脱可能なため取っ手２０部品を付け替えることや、既に市場へ据付けられ、固定が施されていない室外ユニットへも後付けして転倒防止を行うことが可能であり、自然災害へ備えることができる。
【００３５】
また、固定線部品２１は図１３に示すように例えば表側部材２０ａから裏側部材２０ｂの通し穴２０ｑを通し、裏側部材２０ｂから表側部材２０ａの通し穴２０ｒを通すことで固定線部品２１が取っ手２０に取り付けられる。このように、取っ手２０の表面から裏面に掛けて貫通している固定穴である通し穴２０ｐ〜２０ｒを利用して、固定線部品２１を通す固定が可能である。そして、この例では取っ手２０に設けた通し穴２０ｑを通した後、通し穴２０ｒを通して、取っ手２０に設ける通し穴２０ｑ，２０ｒを室外ユニット本体１の外郭であるワイヤー７ａを跨ぐ位置としているので、固定線部品２１を通した際に、固定線部品２１が取っ手２０を介して室外ユニット本体１の外郭を構成するのワイヤー７ａへたすき掛けることができ、より強固な固定にすることができる。つまり、このようにすることにより、例えば、強風などの外乱により室外ユニット本体１を移動させるような力が加わって取っ手２０が破損したとしても、固定線部品２１は外郭の側面ガード６のワイヤー７ａにも固定されている（引っかかっている）ので、直ちに室外ユニット本体１が転倒することがないため、より室外ユニット本体１の転倒防止ができるわけである。
【００３６】
室外ユニット本体１の重量の大半を占める圧縮機１２は室外ユニット本体１の正面から見て右側の機械室１５に配置されているため、室外ユニット本体１の重心位置は右側に寄っている。この為、大型台風の強風などの外乱により室外ユニット本体１が移動（転倒）する場合には、熱交換器１１が配置された重量の軽い室外ユニット本体１の左側から動くことになり、室外ユニット本体１の転倒防止の為に固定する部分は、この現象を考慮すると、室外ユニット本体１の左側である熱交換器１１の側辺部１１ｂが配置された側面側を固定するのが効果的であ。しかし、室外ユニット本体１の熱交換器１１側の側面は空気の吸い込み口が開いているため固定できる場所が少ないという課題があったが、この実施の形態の例のように側面ガード６に取り付けた取っ手２０を利用して、移動しやすい室外ユニット本体１の熱交換器１１の側辺部１１ｂが配置された左側面側を室外ユニット本体１の転倒防止のために固定できるので、転倒防止を効率よく行えるという効果がある。
【００３７】
また、上記の実施の形態の例では表側部材２０ａと裏側部材２０ｂを別体で形成し、上辺を回転可能に連結するヒンジ部２０ｃを備えた例を示したが、表側部材２０ａと裏側部材２０ｂの上辺を分割しないように、例えば粘性の強い樹脂（例えばポリプロピレン樹脂）で一体に薄肉に成形して折り曲げ可能なヒンジ部２０ｃとしてもよく、上記実施の形態の例と同様の効果を奏する。また、上記の例では横方向のワイヤー７ａが上下に等間隔に配置されて、取っ手２０を上下のどの横方向のワイヤー７ａの位置でも取り付けできるものを示したが、ワイヤー７ａの上下の間隔が異なっていてもよく、取っ手２０に設ける横方向の溝部２０ｅをワイヤー７ａの異なった上下の間隔に合うように複数設け、ワイヤー７ａを挟み込む溝部２０ｅの位置を選択して取っ手２０を取り付けるようにすることもできる。
【００３８】
また、上記の例では横方向のワイヤー７ａを２本と縦方向のワイヤー７ｂの１本の合計３本のワイヤー７を取っ手２０に一緒に挟み込んでしっかりと取り付けたものを示したが、ワイヤー７の間隔が狭ければさらに多くのワイヤー７をはさみ込んで強固に取り付けてもよいし、また、１本の横方向のワイヤー７ａと１本の縦方向のワイヤー７ｂの２本だけを挟み込んだり、２本の横方向のワイヤー７ａだけを挟み込んで取り付けるようにしてもよい。このように２本以上ののワイヤー７を挟み込むことで取っ手２０が１本のワイヤー７を軸にして回転することがないため、しっかりと側面ガード６のワイヤー７に取っ手２０が取り付けられて固定されるようになる。また、上記の例では取っ手２０に結合手段２０ｆを一か所設けたものを示したが、結合手段２０ｆを複数設けて表側部材２０ａと裏側部材２０ｂの結合をさらに強くしてもよい。
【００３９】
このように、この実施の形態の例によれば、内部に熱交換器１１と送風機１６及び圧縮機１２を収納し、外郭に熱交換器１１を保護する複数本のワイヤー７により構成される側面ガード６を備えた室外ユニット本体１に使用する運搬用の取っ手２０であって、取っ手２０は側面ガード６の外側に配置され手を掛ける手掛け部２０ｄを形成する表側部材２０ａと、側面ガード６の内側に配置され表側部材２０ａに着脱可能に結合する裏側部材２０ｂと、表側部材２０ａと裏側部材２０ｂとの合わせ面に形成される側面ガード６のワイヤー７を挟み込む溝部２０ｅと、を備え、溝部２０ｅで表側部材２０ａと裏側部材２０ｂとの間に側面ガード６のワイヤー７を挟み込んで表側部材２０ａと裏側部材２０ｂとを結合させ、取っ手２０を側面ガード６のワイヤー７に取り付けるようにしたので、取っ手２０の側面ガード６への取り付け位置を縦および横方向に付け替えることができ、室外ユニット本体１の運搬作業を容易にできる効果が得られる。
【００４０】
また、実施の形態の例の効果として、室外ユニット本体１から取り外しが可能な取っ手２０で有る為、運搬・据付後に取り外すことで、取っ手２０の用済み後に室外ユニット本体１の運搬を出来難くくして、材料を目的とした室外ユニット本体１の盗難防止にも役立という効果もある。また、自然災害に対する室外ユニット本体１の転倒防止部品として取っ手２０を利用する際には、任意の位置へ取り付け可能なことや、複数取り付け可能なことを利用して、設備２２（土台基礎だけでなく、近辺の建物、或いは室外ユニット同士など）に固定線部品２１などで接続することで、転倒防止効果を向上させることが可能である。また、取っ手２０を室外ユニット本体１の側面ガード６に後付け可能であるため、既に市場に据え付けられている室外ユニット本体１へ取り付けることも可能である。また、室外ユニット本体１が老朽化して廃却する時などは、取っ手２０を室外ユニット本体１から取り外して、ゴミとしての分別も用意であり、環境にも優しいという効果もある。また、転倒防止部品でもある取っ手２０が経年変化で劣化した際には、新品の取っ手２０部品と交換することも可能である。
【００４１】
次に、この実施の形態１の他の例Ａを説明する。上記の例では取っ手２０の表側部材２０ａと裏側部材２０ｂの上辺をヒンジ部２０ｃによる構造で連結して、表側部材２０ａと裏側部材２０ｂがばらばらに離れないようにしたものを示したが、分割された表側部材２０ａと裏側部材２０ｂを側面ガード６の両側から合わせて結合させるようにしてもよい。図１４はこの発明の実施の形態１の他の例Ａを示す空気調和機の室外ユニットの取っ手の斜視図である。図のように表側部材２０ａと裏側部材２０ｂのそれぞれの上辺は引っ掛け方式にして、下辺は上記の例と同様に結合手段２０ｆで結合させて表側部材２０ａと裏側部材２０ｂとを固着してワイヤー７に取り付けるようにしてもよく、取っ手２０の取り付け位置を任意に変えられ、上記の例と同様の効果が得られる。また、上辺の引っ掛け構成を止めて結合手段２０ｆを取っ手２０の上下左右の四辺に設けて表側部材２０ａと裏側部材２０ｂを強固に結合させるように構成してもよい。
【００４２】
次に、この実施の形態１の他の例Ｂを説明する。図１５はこの発明の実施の形態１における他の例Ｂを示す取っ手の表側部材と裏側部材の合わせ面で挟み込むワイヤーと溝部の構成を説明する図１０に相当する要部縦断面図である。上記の例ではワイヤー７と溝部２０ｅの断面がほぼ同じ形状の場合を示したが、図１５に示すようにワイヤー７のと溝部２０ｅの間に隙間があるようなものであっても、表側部材２０ａと裏側部材２０ｂとで取っ手２０をワイヤー７に取り付け固定可能であり、上記の実施の形態の例と同様の効果が得られる。また、このように隙間を設けることで、複数本のワイヤー７の位置が若干異なっていたり、ワイヤー７の直径が若干異なる室外ユニット本体１であっても取っ手２０を取り付けできるものが得られる効果がある。
【００４３】
次に、この実施の形態１の他の例Ｃを説明する。図１６はこの発明の実施の形態１における他の例Ｃを示す取っ手の表側部材と裏側部材の合わせ面で挟み込むワイヤーと溝部の構成を説明する図１０に相当する要部縦断面図である。上記の例では溝部２０ｅを表側部材２０ａと裏側部材２０ｂの両方を凹ませて形成した場合を示したが、図１６に示すように溝部２０ｅを表側部材２０ａか裏側部材２０ｂの一方を凹ませて形成することも可能である。この例では表側部材２０ａ側を凹ませて溝部２０ｅを形成している。このようにすると、溝部２０ｅでワイヤー７を挟んで取っ手２０をワイヤー７に上記の例と同様に取り付けできるとともに、さらに、裏側部材２０ｂの熱交換器１１の側辺部１１ｂ側への厚さを薄く形成できるので、側面ガード６と熱交換器１１の側辺部１１ｂとの隙間をさらに狭くしても裏側部材２０ｂを配置できるので、熱交換器１１を広く形成したり、室外ユニット本体１の外郭を小さくして安価に構成できるという効果も得られる。
【００４４】
次に、この実施の形態１の他の例Ｄを説明する。図１７はこの発明の実施の形態１における他の例Ｄを示す取っ手の表側部材と裏側部材の合わせ面で挟み込むワイヤーと溝部の構成を説明する図１６に相当する要部縦断面図である。上記の図１６の例では溝部２０ｅを表側部材２０ａに形成して裏側部材２０ｂの面は平らな場合を示したが、図１７に示すように表側部材２０ａ側の溝部２０ｅを深く形成して裏側部材２０ｂ側を突出させるように形成してもよく、上記の例と同様に溝部２０ｅでワイヤー７を挟んで取っ手２０をワイヤー７に取り付けでき、また、裏側部材２０ｂの熱交換器１１の側辺部１１ｂ側への厚さを薄く形成できるので、側面ガード６と熱交換器１１の側辺部１１ｂとの隙間を狭くしても裏側部材２０ｂを配置できるので、熱交換器１１を広く形成したり、室外ユニット本体の外郭を小さくして安価に構成できるという効果も同様に得られる。
【００４５】
次に、この実施の形態１の他の例Ｅを説明する。図１８はこの発明の実施の形態１における他の例Ｅを示す取っ手の表側部材と裏側部材の合わせ面で挟み込むワイヤーと溝部の構成を説明する図１０に相当する要部縦断面図である。上記の例ではワイヤー７の断面形状が円形のものを示したが、ワイヤー７の形状は他の形状であってもよい。図１８に示すようにワイヤー７の断面形状が例えば四角い形状であってもよく、ワイヤー７の断面形状に合うような溝部２０ｅの形状に形成すればよく、上記の例と同様に溝部２０ｅでワイヤー７を挟んで取っ手２０をワイヤー７に取り付けできるものが得られる。また、ワイヤー７の断面形状は内部中空の線材であったり、板材を丸めて線材形状に形成したものであってもよい。
【００４６】
次に、この実施の形態１の他の例Ｆを説明する。図１９はこの発明の実施の形態１における他の例Ｆを示す取っ手を側面ガードに取り付けた状態の室外ユニット本体の要部側面図である。上記の例では取っ手２０を２本の横方向のワイヤー７ａと縦方向のワイヤー７ｂに取り付け、ワイヤー７ａ，７ｂにより取っ手２０が上下左右へ移動しないものを示したが、図１９に示すように外郭支柱９と縦方向のワイヤー７ｂの間の２本の横方向のワイヤー７ａにのみ取り付けるようにしてもよく、このようにしても取っ手２０が左右方向へ移動しようとしても、取っ手２０のリブ２０ｎが外郭支柱９及び縦方向のワイヤー７ｂに接触して移動が規制されるため、取っ手２０を移動しないように取り付けでき、上記の例と同様の効果が得られる。
【００４７】
次に、この実施の形態１の他の例Ｇを説明する。図２０はこの発明の実施の形態１における他の例Ｇを示す取っ手を側面ガードに取り付けた状態の図１９に相当する要部側面図である。図１９の例では外郭支柱９と縦方向のワイヤー７ｂの間の２本の横方向のワイヤー７ａに取っ手２０を取り付けた場合の例を示したが、図２０に示すように縦方向のワイヤー７ｂを２本設けた側面ガード６の場合、縦方向の２本のワイヤー７ｂの間の横方向のワイヤー７ａに取っ手２０を取り付けるようにしてもよい。このようにしても、２本の縦方向のワイヤー７ｂにより取っ手２０のリブ２０ｎの外側が縦方向のワイヤー７ｂにそれぞれ接触し、取っ手２０ｂの横方向への移動が規制されるので、上記の例と同様に取っ手２０を側面ガード６へ取り付けできるものが得られる。
【００４８】
次に、この実施の形態１の他の例Ｈを説明する。図２１はこの発明の実施の形態１における他の例Ｈを示す取っ手をガードに取り付けた状態の図１９に相当する要部側面図である。図１９の例では外郭支柱９と縦方向のワイヤー７ｂの間の２本の横方向のワイヤー７ａに取っ手２０を取り付けた場合の例を示したが、図２１に示すように縦方向のワイヤー７ｂを２本設けた側面ガード６の場合、縦方向の二本のワイヤー７ｂの位置に合うように取っ手２０の溝部２０ｅを形成して縦方向の２本のワイヤー７ｂに取り付けてもよい。このようにしても横方向のワイヤー７ａにより、取っ手２０の横方向のワイヤー７ａ側への移動が規制されるので、同様に取っ手２０を側面ガード６へ取り付けられるものが得られる。
【００４９】
次に、この実施の形態１の他の例Ｉを図２２及び図２３により説明する。図２２はこの発明の実施の形態１における他の例Ｉを示す取っ手部分の要部斜視図である。図２３はこの発明の実施の形態１における図２２の取っ手の表側部材と裏側部材の結合を説明する要部縦断面図である。上記の実施の形態の例では表側部材２０ａと裏側部材２０ｂとの結合に樹脂部材の弾性を利用して結合させる結合手段２０ｆにより結合させたものを示したが、ネジ２３等の結合手段で着脱可能に締結して結合させてもよく、この例では表側部材２０ａ側にネジ２３を通す穴２０ｓを設け、裏側部材２０ｂにはネジ２３を締結するネジ部２０ｔを設けて締結してもよく、上記の実施の形態の例と同様に取っ手２０を側面ガード６へ着脱可能に取り付けできる効果が得られる。さらに、ネジ２３により取っ手２０を側面ガード６に強固に固定できるという効果も得られる。なお、この例では取っ手２０の上部はヒンジ部２０ｃで結合して、取っ手２０の下部の左右を２個のネジ２３で結合させたものを示したが、分割された表側部材２０ａと裏側部材２０ｂを合わせて上下左右をネジ２３で結合させるようにしてもよく、結合手段は取っ手２０の形状に合わせて適宜の数量を設けるようにすればよい。
【００５０】
次に、この実施の形態１の他の例Ｊを説明する。図２４はこの発明の実施の形態１における他の例Ｊを示す取っ手に固定線部品を取り付ける構成を説明する固定線部品の取付部分の要部縦断面図である。上記の例では室外ユニット本体１の転倒を防止する手段として、取っ手２０へ直接に固定穴である通し穴２０ｐ〜２０ｒを形成して固定線部品２１を通して締結させた例を示したが、固定部品である別部品２４を取っ手２０に取り付けて、その別部品２４に固定線部品２１を取り付けるようにしてもよい。この例では別部品２４をネジ２４ａで取っ手２０の表側部材２０ａに締結固定し、その固定部品である別部品２４に固定線部品２１をネジ２４ｂで固定するようにしてもよく、上記の実施の形態の例と同様の効果が得られる。また、このように、別部品２４を後付け可能であることで、既に市場に据え付けられている室外ユニット本体１へ取り付けることも可能である。また、廃却時にはゴミの分別も用意であり、環境にも優しい。また、転倒防止部品である取っ手２０や別部品２４が経年変化で劣化の際には、新品の部品と交換することも可能であるという効果も得られる。また、上記の例では別部品２４に固定線部品２１をネジ２４ｂで取り付けたものを示したが、取っ手２０に直接ネジ穴（図示せず）を形成して固定線部品２１を直接ネジ２４ｂ等で取っ手２０に締結固定するようにしてもよい。
【００５１】
次に、この実施の形態１の他の例Ｋを説明する。図２５はこの発明の実施の形態１における他の例Ｋを示す複数の取っ手に固定線部品を取り付けて室外ユニットの転倒を防止する構成を説明する図１２に相当する空気調和機の室外ユニットの斜視図である。図１２の例では一か所の取っ手２０を利用して固定線部品２１により設備２２に連結させたものを示したが、取っ手２０は側面ガード６の上下左右任意の位置へ固定可能であるため、つまり、複数の取っ手２０を同時に側面ガード６に取り付け可能であるため、複数の取っ手２０を取り付けられる特徴を利用して、室外ユニット本体１の据付環境に応じて様々な固定をすることが可能である。この図２５の例では取っ手２０を７個取り付け、それぞれ固定線部品２１で設備２２に強固に固定するようにしている。また、取っ手２０部品の経年劣化に伴い、取っ手２０部品を付け替えることや、既に市場へ据え付けられ、固定が施されていない室外ユニット本体１へ取っ手２０と固定線部品２１を後付け可能であり、室外ユニット本体の転倒を防止して自然災害へ備えることができる効果が得有られる。
【００５２】
次に、この実施の形態１の他の例Ｌを説明する。図２６はこの発明の実施の形態１における他の例Ｌを示す図１に相当する空気調和機の室外ユニットを背面側から見た斜視図である。図２６に示すように、取っ手２０を側面ガード６の様々な位置に取り付けできることから、室外ユニット本体１の背面へ取っ手２０を設ける必要が無い。また、室外ユニット本体１は背面側を建物の壁側等に向けて配置される場合が多く、室外ユニット本体１を据え付けてしまえば、室外ユニット本体１の背面側は室外ユニットの外側から見て目につき難いように設置される場合が多いため、室外ユニット本体１の背面側である熱交換器１１の後辺部１１ａ側は、側辺部１１ｂ側に比較して人の手が触れる可能性が少なく、図１のような背面ガード２５を省略することも可能である。この図２６の例では室外ユニット本体１の背面には熱交換器１１を保護する背面ガード２５を備えないようにして、室外ユニット本体１の背面に外気の吸い込みに対する障害物を設けないようにしている。このようにすると背面ガード２５のワイヤー２６部品を廃止して、送風機１６により外気を吸い込む際の風切り音の発生を防止でき、また、豪雪地帯における雪や氷柱などの形成部位を減らすことができ、室外ユニット本体１の熱交換性能や品質を向上させることができるという効果がある。
【００５３】
また、上記の実施の形態の例では室外ユニット本体１の右側に圧縮機１２が配置され、熱交換器１１の側辺部１１ｂが配置された室外ユニット本体１の左側面側に取っ手２０を取り付けたものを示したが、圧縮機１２が左側に配置されて熱交換器１１の側辺部１１ｂが右側に配置され、側面ガード６が室外ユニット本体１の右側面側に設けられる場合には取っ手２０を室外ユニット本体１の右側面側に取り付けるようにしてもよく、側面ガード６のワイヤー７が設けられる室外ユニット本体１の外郭面の位置によって、取っ手２０の取り付け位置は室外ユニット本体１の他の外郭面にも取り付けることができる。
【００５４】
また、上記の実施の形態の例では熱源ユニットとして空気調和機の室外ユニット本体１を示したが、ヒートポンプ式の給湯器の熱源ユニットや冷蔵ショーケースの室外ユニットのように内部に熱交換器１１と送風機１６及び圧縮機１５を収納し、外郭に熱交換器１１を保護する複数本のワイヤー７により構成される側面ガード６（ガード）を備えた熱源ユニットであれば、同様に運搬用の取っ手２０の構成を適用して、同様に取っ手２０の取り付け位置を運搬や据付けを行う作業者によって作業しやすい位置に変更して作業を容易にでき、また、自然災害に対する転倒防止を行えるものが得られる効果がある。
【００５５】
このように上記の実施の形態によれば下記のような効果がある。
内部に熱交換器１１と送風機１６及び圧縮機１５を収納し、外郭に熱交換器１１を保護する複数本のワイヤー７により構成される側面ガード６（ガード）を備えた熱源ユニット（空気調和機の室外ユニット本体１など）に使用する運搬用の取っ手２０であって、取っ手２０は側面ガード６の熱交換器１１（側辺部１１ｂ）とは反対側に配置され手を掛ける手掛け部２０ｄを形成する表側部材２０ａと、側面ガード６の熱交換器１１（側辺部１１ｂ）側に配置されワイヤー７を介して表側部材２０ａに着脱可能に結合する裏側部材２０ｂと、表側部材２０ａと裏側部材２０ｂとの合わせ面に形成されワイヤー７を挟み込む溝部２０ｅと、を備え、溝部２０ｅにワイヤー７を挟み込んで表側部材２０ａと裏側部材２０ｂとを結合させ、取っ手２０を側面ガード６のワイヤー７に取り付けたので、取っ手２０の取り付け位置を室外ユニット本体１の運搬や据付を行う作業者によって作業しやすい位置に変更することができ、作業者の作業を容易にできる運搬用の取っ手２０を得ることができるという効果がある。
【００５６】
また、熱源ユニットが空気調和機の室外ユニット（室外ユニット本体１）又はヒートポンプ式給湯器の熱源ユニットであるようにすると、運搬や据付を行う作業者の作業を容易にできる運搬用の取っ手２０を備えた空気調和機の室外ユニット又はヒートポンプ式給湯器の熱源ユニットを得ることができるという効果がある。
【００５７】
また、内部に熱交換器１１と送風機１６及び圧縮機１５を収納した室外ユニット本体１と、室外ユニット本体１の外郭に設けられ熱交換器１１を保護する複数本のワイヤー７により構成される側面ガード６（ガード）と、側面ガードのワイヤー７に取り付けられる運搬用の取っ手２０と、を備え、取っ手２０は側面ガード６の熱交換器１１（側辺部１１ｂ）とは反対側に配置され手を掛ける手掛け部２０ｄを形成する表側部材２０ａと、側面ガード６の熱交換器１１（側辺部１１ｂ）側に配置されワイヤー７を介して表側部材２０ａに着脱可能に結合する裏側部材２０ｂと、表側部材２０ａと裏側部材２０ｂとの合わせ面に形成されワイヤー７を挟み込む溝部２０ｅと、を備え、溝部２０ｅにワイヤー７を挟み込んで表側部材２０ａと裏側部材２０ｂとを結合させ、取っ手２０を側面ガード６のワイヤー７に取り付けたので、取っ手２０の取り付け位置を室外ユニット本体１の運搬や据付を行う作業者によって作業しやすい位置に変更することができ、作業者の作業を容易にできる運搬用の取っ手２０を備えた空気調和機の室外ユニット本体１を得ることができるという効果がある。
【００５８】
また、取っ手２０は、２本以上のワイヤー７を挟み込んで取り付けるようにしたので、運搬用の取っ手２０が回転することなく側面ガード６に取り付けできるものが得られるという効果がある。
【００５９】
また、取っ手２０は、縦方向と横方向の両方のワイヤー７ａ，７ｂを挟み込んで取り付けるようにしたので、取っ手２０を移動しないようにしっかりと側面ガード６に取り付けできるものが得られるという効果がある。
【００６０】
また、取っ手２０は、表側部材２０ａと裏側部材２０ｂの一端をヒンジ部２０ｃにより結合させたので、表側部材２０ａと裏側部材２０ｂの結合を容易にできるものが得られるという効果がある。
【００６１】
また、表側部材２０ａの上面２０ｊを、裏側部材２０ｂとは反対方向の先端に行くに従って下方に傾斜するように形成したので、雪が降った際に雪が取っ手２０の上面２０ｊから室外ユニット本体１の外側へ滑り落ちやすく、取っ手２０の上面２０ｊに雪が溜まるのを抑制でき、雪が溜まって熱交換器１１側に雪が接触して熱交換能力を低下させることを防止できるという効果がある。
【００６２】
また、取っ手２０に室外ユニット本体１の転倒を防止する固定線部品２１を取り付けできるようにしたので、容易に自然災害に対する室外ユニット本体１の転倒防止を行えるという効果がある。
【００６３】
また、取っ手２０に固定線部品２１を固定するネジ穴或いは通し穴２０ｐ〜２０ｒを備えて、取っ手２０に固定線部品２１を取り付けできるようにしたので、容易に自然災害に対する室外ユニット本体１の転倒防止を行えるという効果がある。
【００６４】
また、取っ手２０に固定線部品２１を固定する通し穴２０ｑ，２０ｒを、取っ手２０の表側部材２０ａから裏側部材２０ｂを貫通させてワイヤー７が間に通る位置に複数設け、固定線部品２１を複数の通し穴２０ｑ，２０ｒに通し、固定線部品２１が通し穴2２０ｑ、２０ｒを介してワイヤー７を跨ぐように取り付けたので、容易に自然災害に対する室外ユニット本体１の転倒防止を行え、また、室外ユニット本体１を移動させるような力が加わって取っ手２０が破損したとしても、固定線部品２１は外郭の側面ガード６のワイヤー７ａにも固定されている（引っかかっている）ので、直ちに室外ユニット１が転倒することがないため、より室外ユニット本体１の転倒防止ができるという効果がある。
【００６５】
また、取っ手２０を側面ガード６のワイヤー７に複数取り付け、複数の固定線部品２１を複数の取っ手２０に固定して室外ユニット本体１の転倒を防止するようにしたので、色々な設置環境状況に応じて室外ユニット本体１の転倒防止をしっかりと行えるという効果がある。
【００６６】
また、取っ手２０を取り付ける側面ガード６を室外ユニット本体１の側面に備え、室外ユニット本体１の背面には熱交換器１１を保護するガードを備えないようにして、室外ユニット本体１の背面に外気の吸い込みに対する障害物を設けないようにしたので、送風機１６により外気を吸い込む際の風切り音の発生を防止でき、また、豪雪地帯における雪や氷柱などの形成部位を減らせることができ、室外ユニット本体１の熱交換性能や品質を向上させることができるという効果がある。
【符号の説明】
【００６７】
１  室外ユニット本体（熱源ユニット）、２  トップパネル、３  右サイドパネル、４  前面パネル、６  側面ガード（ガード）、７  ワイヤー、７ａ  横方向のワイヤー（ワイヤー）、７ｂ  縦方向のワイヤー（ワイヤー）、８  左サイドパネル、９  外郭支柱、１０  ドレンパン、１１  熱交換器、１１ａ  後辺部（熱交換器）、１１ｂ  側辺部（熱交換器）、１２  圧縮機、１３  レシーバ、１４  仕切板、１５  機械室、１６  送風機、  １６ａ  ファンモータ、１７  送風機室、１８ａ〜１８ｃ  固定取っ手、２０  取っ手、２０ａ  表側部材、２０ｂ  裏側部材、２０ｃ  ヒンジ部、２０ｄ  手掛け部、２０ｅ  溝部、２０ｆ  結合手段、２０ｇ  係合穴、２０ｈ  係止片、２０ｊ  上面、２０ｋ  切欠部、２０ｎ  リブ、２０ｐ〜２０ｒ  固定穴（通し穴）、２１  固定線部品、２２  設備、２３  ネジ、２４  別部品、  ２４ａ  ネジ、２４ｂ  ネジ、２５  背面ガード（ガード）、２６  ワイヤー。
【図１】
2016017646.tif 000003
【図２】
2016017646.tif 000004
【図３】
2016017646.tif 000005
【図４】
2016017646.tif 000006
【図５】
2016017646.tif 000007
【図６】
2016017646.tif 000008
【図７】
2016017646.tif 000009
【図８】
2016017646.tif 000010
【図９】
2016017646.tif 000011
【図１０】
2016017646.tif 000012
【図１１】
2016017646.tif 000013
【図１２】
2016017646.tif 000014
【図１３】
2016017646.tif 000015
【図１４】
2016017646.tif 000016
【図１５】
2016017646.tif 000017
【図１６】
2016017646.tif 000018
【図１７】
2016017646.tif 000019
【図１８】
2016017646.tif 000020
【図１９】
2016017646.tif 000021
【図２０】
2016017646.tif 000022
【図２１】
2016017646.tif 000023
【図２２】
2016017646.tif 000024
【図２３】
2016017646.tif 000025
【図２４】
2016017646.tif 000026
【図２５】
2016017646.tif 000027
【図２６】
2016017646.tif 000028